(57)【要約】      （修正有）【課題】構造が簡単で強固で取付が容易である照明装置を提供する。【解決手段】照明装置は、本体１０の外壁に、対向する側に凸状柱１２が設置され、外枠が筐体２１を含み、筐体に、前記凸状柱に対応する箇所に位置決め孔２３が形成され、位置決め孔の両側に係止シート２４、２５が配置され、各弾性片３０は、主体部４０と主体部から伸びる係合部５０とを含み、主体部に舌片が形成され、係合部に係止溝が開けられ、その中にプレクトラムが伸び、弾性片の主体部が筐体の係止シート２４、２５間に挿設され、舌片が主体部から位置決め孔２３内に嵌設されて固定され、凸状柱が係合部の係止溝内に嵌設され、プレクトラムが凸状柱に弾性的に当接し、弾性片の係合部が本体の外壁に当接する。【選択図】図２
0003193945.tif 000002
【実用新案登録請求の範囲】
【請求項１】
内部に光源が設置される本体（１１）と外枠（２０）と両者を連結する複数の弾性片（３０）とを有する照明装置において、
前記本体（１０）の外壁に、対向する側に凸状柱（１２）が設置され、前記外枠（２０）が筐体（２１）を含み、前記筐体（２１）に、前記凸状柱（１２）に対応する箇所に位置決め孔（２３）が形成され、前記位置決め孔（２３）の両側に係止シート（２４、２５）が配置され、
前記各弾性片（３０）は、主体部（４０）と前記主体部（４０）から伸びる係合部（５０）とを含み、前記主体部（４０）に舌片（４２）が形成され、前記係合部（５０）に係止溝（５７）が開けられ、その中にプレクトラム（５８）が伸び、
前記弾性片（３０）の主体部（４０）が前記筐体（２１）の係止シート（２４、２５）間に挿設され、前記舌片（４２）が前記主体部（４０）から前記位置決め孔（２３）内に嵌設されて固定され、前記凸状柱（１２）が前記係合部の係止溝（５７）内に嵌設され、前記プレクトラム（５８）が前記凸状柱（１２）に弾性的に当接し、前記弾性片（３０）の係合部（５０）が前記本体（１１）の外壁に当接する
ことを特徴とする照明装置。
【請求項２】
前記係合部（５０）に、前記係止溝（５７）と連通する２個の狭溝（５７１）が前記プレクトラム（５８）の両側に形成される
ことを特徴とする請求項１に記載の照明装置。
【請求項３】
前記凸状柱（１２）が円柱状であり、前記プレクトラム（５８）の先端が前記凸状柱（１２）に当接するような凹状をしている
ことを特徴とする請求項２に記載の照明装置。
【請求項４】
前記係合部（５０）が、前記主体部（４０）と連続するように弧形の弾性部（５１）を含み、前記係合部（５０）が弾性部（５１）と主体部（４０）とが逆「Ｖ」字形を形成する
ことを特徴とする請求項１に記載の照明装置。
【請求項５】
前記係止シート（２４、２５）が、それぞれ対応する前記位置決め孔（２３）の両側に設置される２個の位置決めバー（２５）を含み、前記係止シートの位置決めバー（２５）が、前記筐体（２１）の対応部分と共に、「Ｔ」字形のソケットを形成する
ことを特徴とする請求項１に記載の照明装置。
【請求項６】
前記位置決めバー（２５）が、前記筐体（２１）の軸方向である垂直線方向に設置され、接続される前記筐体（２１）の接続部（２５０）と、前記接続部（２５０）から他方の位置決めバーに向かって延出する制限部（２５５）とを有し、前記各位置決めバー（２５）の横断面が「Ｌ」形となる
ことを特徴とする請求項５に記載の照明装置。
【請求項７】
前記各係止シート（２４、２５）がそれぞれ前記筐体（２１）の外側面に設置され、前記主体部の舌片（４２）が前記係合部（５０）に向かって傾斜延出する
ことを特徴とする請求項１に記載の照明装置。
【請求項８】
前記係合部（５０）が、前記主体部（４０）の頂部と接続するように弧形の弾性部（５１）を含み、前記弾性部（５１）が、前記主体部（４０）と係合部（５０）を接続するように前記筐体（２１）の頂縁に跨ぐ
ことを特徴とする請求項７に記載の照明装置。
【請求項９】
前記弾性片（３０）が更に操作部を含み、前記操作部が、前記主体部（４０）の底部を接続するように弧形部を含み、前記主体部（４０）の底部両側にそれぞれ割れ目（４１）が形成される
ことを特徴とする請求項７に記載の照明装置。
【請求項１０】
前記係止シート（４０）がそれぞれ前記筐体（２１）の内側面に設置され、前記弾性片（３０）の主体部（４０）の舌片（４２）が、前記係合部（５０）から傾斜して伸びる
ことを特徴とする請求項１に記載の照明装置。
【考案の詳細な説明】
【技術分野】
【０００１】
本考案は照明装置に関し、特に弾性片で固定された取付が容易である照明装置に関する。
【背景技術】
【０００２】
従来の灯具として、ネジ或はリベット締めの方式により本体を外枠上に固定する。しかし、ネジの固定にネジとナットが必要であり、ワッシャー等の複数の部品の取付が煩瑣で、何度も着脱された後に脱落しやすく、安全の隠れた危険を引き起こす。リベット締めの方式では、引張とリベット締めを行うようにリベット締め設備と大きい操作空間が必要になり、且つリベット締められた後取外しづらく、極めて不便である。
【考案の概要】
【考案が解決すべき課題】
【０００３】
本考案の目的は、構造と取付が簡単な照明装置を提供することである。
【課題を解決するための手段】
【０００４】
本考案の一実施例によれば、内部に光源が設置される本体（１１）と外枠（２０）と両者を連結する複数の弾性片（３０）とを有する照明装置において、
前記本体（１０）の外壁に、対向する側に凸状柱（１２）が設置され、前記外枠（２０）が筐体（２１）を含み、前記筐体（２１）に、前記凸状柱（１２）に対応する箇所に位置決め孔（２３）が形成され、前記位置決め孔（２３）の両側に係止シート（２４、２５）が配置され、前記各弾性片（３０）は、主体部（４０）と前記主体部（４０）から伸びる係合部（５０）とを含み、前記主体部（４０）に舌片（４２）が形成され、前記係合部（５０）に係止溝（５７）が開けられ、その中にプレクトラム（５８）が伸び、前記弾性片（３０）の主体部（４０）が前記筐体（２１）の係止シート（２４、２５）間に挿設され、前記舌片（４２）が前記主体部（４０）から前記位置決め孔（２３）内に嵌設されて固定され、前記凸状柱（１２）が前記係合部の係止溝（５７）内に嵌設され、前記プレクトラム（５８）が前記凸状柱（１２）に弾性的に当接し、前記弾性片（３０）の係合部（５０）が前記本体（１１）の外壁に当接する。
本考案の更なる実施例によれば、前記係合部（５０）に、前記係止溝（５７）と連通する２個の狭溝（５７１）が前記プレクトラム（５８）の両側に形成される。
本考案の更なる実施例によれば、前記凸状柱（１２）が円柱状であり、前記プレクトラム（５８）の先端が前記凸状柱（１２）に当接するような凹状をしている。
本考案の更なる実施例によれば、前記係合部（５０）が、前記主体部（４０）と連続するように弧形の弾性部（５１）を含み、前記係合部（５０）が弾性部（５１）と主体部（４０）とが逆「Ｖ」字形を形成する。
本考案の更なる実施例によれば、前記係止シート（２４、２５）が、それぞれ対応する前記位置決め孔（２３）の両側に設置される２個の位置決めバー（２５）を含み、前記係止シートの位置決めバー（２５）が、前記筐体（２１）の対応部分と共に、「Ｔ」字形のソケットを形成する。
本考案の更なる実施例によれば、前記位置決めバー（２５）が、前記筐体（２１）の軸方向である垂直線方向に設置され、接続される前記筐体（２１）の接続部（２５０）と、前記接続部（２５０）から他方の位置決めバーに向かって延出する制限部（２５５）とを有し、前記各位置決めバー（２５）の横断面が「Ｌ」形となる。
本考案の更なる実施例によれば、前記各係止シート（２４、２５）がそれぞれ前記筐体（２１）の外側面に設置され、前記主体部の舌片（４２）が前記係合部（５０）に向かって傾斜延出する。
本考案の更なる実施例によれば、前記係合部（５０）が、前記主体部（４０）の頂部と接続するように弧形の弾性部（５１）を含み、前記弾性部（５１）が、前記主体部（４０）と係合部（５０）を接続するように前記筐体（２１）の頂縁に跨ぐ。
本考案の更なる実施例によれば、前記弾性片（３０）が更に操作部を含み、前記操作部が、前記主体部（４０）の底部を接続するように弧形部を含み、前記主体部（４０）の底部両側にそれぞれ割れ目（４１）が形成される。
本考案の更なる実施例によれば、前記係止シート（４０）がそれぞれ前記筐体（２１）の内側面に設置され、前記弾性片（３０）の主体部（４０）の舌片（４２）が、前記係合部（５０）から傾斜して伸びる。
かくして、従来の技術と比べて、本考案の照明装置は、弾性片の主体部により外枠の係止シートに挿設され、弾性片の係合部により本体上の凸状柱を嵌設することで、構造が簡単で強固で取付が簡単となる。さらに前記凸状柱の円形により設置し、且つ係合部が本体の外壁に当接するため、外枠に相対する本体の反転の自由度とダンピング効果を提供する。
【図面の簡単な説明】
【０００５】
【図１】本考案の実施例１の照明装置の立体分解図。
【図２】図１の照明装置の部分組立図。
【図３】図１の照明装置の弾性片の一部の拡大図。
【図４】図１の照明装置の外枠を一半に切開した後に弾性片が取付される斜視図。
【図５】図１の照明装置の組立後に四分の一つの部分が切除された斜視図。
【図６】図５の円圈部分Ａの拡大図。
【図７】本考案の実施例２の照明装置の立体分解図。
【図８】図７の照明装置の一部の組立図。
【図９】図７の照明装置の外枠を一半に切開した後に弾性片が取付される斜視図。
【図１０】図７の照明装置の組立後に四分の一つの部分が切除された斜視図。
【図１１】図１０の円圈部分Ｂの拡大図。
【考案を実施するための形態】
【０００６】
図１〜図６の示すように、本考案の実施例１の照明装置１００が本体１０、外枠２０、とそれぞれ前記本体１０と外枠２０と接続する２つの弾性片３０、３０を含む。
前記本体１０が内部に設置される光源（図示せず）と上方に設置される放熱器１１を含む。前記本体１０の外形が円柱状に設置される。前記本体１０の外壁の対向両側にそれぞれ凸状柱１２が延出する。本実施例において、各凸状柱１２が円柱状に設置され、本体１０の所在する外壁に垂直に延出する。
前記外枠２０が鉛直環形の筐体２１と前記筐体２１底部に接続される台座２２を含む。前記台座２２が円環状に設置される。前記筐体２１の対向両側部にそれぞれ位置決め孔２３が設置される。位置決め孔２３が円形の穿孔である。前記筐体２１における位置決め孔２３に対応する箇所には、係止シート２４が延出する。実施例１において、前記係止シート２４が筐体２１の外側面に設置される。係止シート２４が位置決め孔２３の対向両側に設置される位置決めバー２５を含む。各位置決めバー２５が鉛直線状に設置され、筐体２１に接続される接続部２５０と、接続部２５０の外縁から他方の位置決めバー２５に向かって延出する制限部２５５とを含み、これにより位置決めバー２５の横断面が「Ｌ」形になる。係止シート２４の底部が台座２２と接続される。係止シート２４毎の２つの位置決めバー２５が、筐体２１の対応する部分と共に「Ｔ」字形のソケット２４０を取り囲んで成す。前記ソケット２４０が位置決め孔２３と連通する。
【０００７】
前記弾性片３０が主体部４０と、前記主体部４０の頂部から内側で下に向かって延出する係合部５０と、前記主体部４０の底部から外に向かって延出する操作部６０とを含む。本実施例では、弾性片３０が弾性のある金属材料を一体にプレス加工してなる。
【０００８】
前記主体部４０が矩形の片状に設置される。前記主体部４０の幅が前記両位置決めバー２５、２５の接続部２５０、２５０間の距離よりも小さくなり、同時に両制限部２５５、２５５間の距離よりも大きくなり、これにより主体部４０が係止シート２４のソケット２４０に嵌設できる。前記主体部４０の底部の両側にそれぞれ割れ目４１が設置され、主体部４０の底部の幅が制限部２５５間の距離よりも小さくさせることで、操作部６０が係止シート２４のソケット２４０内に伸び、主体部４０と接続される。主体部４０の中部が係合部５０に向かって舌片４２が傾斜延出し、前記舌片４２の頂部が半円形に設置されることで、外枠２０の位置決め孔２３に対応的に嵌入できる。本実施例では、前記舌片４２の底部が主体部４０と接続され、主体部４０における舌片４２に対応する位置には、プレス加工により穿孔（図示せず）を形成する。
前記係合部５０が、主体部４０の頂部と接続するように弧形の弾性部５１を含む。前記係合部５０、弾性部５１と主体部４０が共同で逆「Ｖ」字形に設置される。前記係合部５０の中部には、それぞれ係止溝５７とが前記係止溝５７の上方に位置するプレクトラム５８が設置される。前記係合部５０に更に２つの狭溝５７１が設置され、前記狭溝５７１がプレクトラム５８の対向両側に位置し、且つ係止溝５７と連通するため、プレクトラム５８を頂部係合部５０だけで接続させることで、前記プレクトラムの弾性を増加させる。当本体１０の凸状柱１２を係止溝５７に組立する時、凸状柱１２に対する前記プレクトラム５８の引導作用を果たす。本体１０の凸状柱１２を係止溝５７から取外したい場合、前記プレクトラム５８を下に押え付けることで、凸状柱１２を上に向かって退出する。本実施例では、前記プレクトラム５８の底縁が凹状の弧形に設置される。
【０００９】
前記操作部６０が、主体部４０の底部と接続するように弧形部（未図示）を含む。前記操作部６０が外に屈曲延出することで、使用者による弾性片３０への操作に便利する。
組立する場合、前記弾性片３０の主体部４０を上から下に向かって外枠２０の係止シート２４内に挿入し、先き主体部４０の舌片４２が筐体２１の押出弾性圧縮を受け、主体部４０が完全に係止シート２４に挿入した時、舌片４２が反発で筐体２１の位置決め孔２３内に嵌入する。この時、弾性片３０の係合部５０が筐体２１の内側に位置し、弾性部５１が筐体２１の頂縁に跨設され且つ主体部４０と係合部５０とそれぞれ接続される。最終に、本体１０が上から下へ筐体２１内に押入させ、その中で凸状柱１２が係合部５０のプレクトラム５８の位置に対応する。
【００１０】
下へ押す過程で、本体１０が弾性片３０の係合部５０を筐体２１内壁に向かって弾性的に接近させるように押出し、同時に凸状柱１２が対応のプレクトラム５８を下に向かって係止溝５７に滑り込ませるように押出し、凸状柱１２が係止溝５７に嵌入された後、係合部５０が反発で本体１０の外壁底部に当接し、前記プレクトラム５８が凸状柱１２の頂部に弾性的に当接する。前記凸状柱１２と係止溝５７がそれぞれ円形に設置されるので、本体１０と弾性片３０とが枢軸で連結させ、即ち、本体１０が凸状柱１２と係止溝５７の軸心の回りに反転できるため、本体１０が外枠２０に相対して反転自由度を備えさせ、同時に、前記本体１０が凸状柱１２の回りに予め設定された反転角度に回動した後、前記係合部５０が反発で本体１０の外壁に当接して生じる摩擦抵抗により、本体１０を前記予設の反転角度に位置決めように挟持する。理解できるように、前記台座２２により筐体２１の内側に延出して斜面２２０を形成することで、係合部５０を支持し、より一層本体１０を支持し、本体１０が下へ押す過程で過大の負荷を受けて意外に筐体２１から下に向かって脱落することを防止する。
【００１１】
本考案の照明装置１００が外枠２０の対向両側に位置決め孔２３と係止シート２４を設置し、弾性片３０の主体部４０を前記係止シート２４に嵌入して且つ主体部４０の舌片４２を前記位置決め孔２３に嵌入することで、弾性片３０を外枠２０上に固定する効果を奏し、同時に弾性片３０の係合部５０が係止溝５７とプレクトラム５８により本体１０上の凸状柱１２を嵌設するため、本体１０を固定させる。なお、所述凸状柱１２が円形に設置され、且つ係合部５０が本体１０の外壁に当接するため、外枠２０に対する本体１０の反転の自由度とダンピング効果を提供する。前記照明装置１００は構造が簡単で牢固し、取付が容易である。
【００１２】
図７〜図１１に、本考案の実施例２の照明装置１００ａを示す。前記照明装置１００ａが、本体１０ａ、外枠２０ａ、とそれぞれ前記本体１０ａと外枠２０ａと接続される２つの弾性片３０ａ、３０ａを含む。
前記本体１０ａの構造は、前記実施例２の照明装置１００の本体１０と同じ、前記本体１０ａが相対的に外に延出する凸状柱１２ａを含み、実施例１の外枠２０と相似し、前記外枠２０ａが筐体２１ａと台座２２ａを含み、前記筐体２１ａには対向に設置される２つの位置決め孔２３ａ、２３ａと係止シート２４ａが設置され、前記係止シート２４ａにソケット２４０ａが設置される。相違点は、実施例２による両係止シート２４ａ、２４ａがそれぞれ筐体２１ａの内壁上に設置され、前記ソケット２４０ａの開口が内に設置されることにある。前記弾性片３０ａが主体部４０ａと係合部５０ａを含み、前記主体部４０ａが舌片４２ａを含む。実施例１による舌片４２が係合部５０に延出するのに対して、前記舌片４２ａが係合部５０ａから延出する。前記係合部５０ａが実施例１による係合部５０と同じである。
【００１３】
以上の説明は、本考案の一実施例に関するもので、この技術分野の当業者であれば、本考案の種々の変形例を考え得るが、それらはいずれも本考案の技術的範囲に包含される。特許請求の範囲の構成要素の後に記載した括弧内の番号は、図面の部品番号に対応し、考案の容易なる理解の為に付したものであり、考案を限定的に解釈するためのものではない。また同一番号でも明細書と特許請求の範囲の部品名は必ずしも同一ではない。これは上記した理由による。実施例の記載においては、「少なくとも１つ或いは複数」、「と／又は」は、それらの内の１つに限定されない。例えば「Ａ，Ｂ，Ｃの内の少なくとも１つ」は「Ａ」、「Ｂ」、「Ｃ」単独のみならず「Ａ，Ｂ或いはＢ，Ｃ更には又Ａ，Ｂ，Ｃ」のように複数のもの、ＡとＢの組合せＡとＢとＣの組合せでもよい。「Ａ，Ｂと／又はＣ」は、Ａ，Ｂ，Ｃ単独のみならず、ＡとＢの２つ、或いはＡとＢとＣの全部を含んでもよい。本明細書において「Ａを含む」「Ａを有する」は、Ａ以外のものを含んでもよい。特に記載のない限り、装置又は手段の数は、単数か複数かを問わない。
【図１】
0003193945.tif 000003
【図２】
0003193945.tif 000004
【図３】
0003193945.tif 000005
【図４】
0003193945.tif 000006
【図５】
0003193945.tif 000007
【図６】
0003193945.tif 000008
【図７】
0003193945.tif 000009
【図８】
0003193945.tif 000010
【図９】
0003193945.tif 000011
【図１０】
0003193945.tif 000012
【図１１】
0003193945.tif 000013
【手続補正書】
【提出日】平成26年8月6日(2014.8.6)
【手続補正１】
【補正対象書類名】図面
【補正対象項目名】全図
【補正方法】変更
【補正の内容】
【図１】
0003193945.tif 000014
【図２】
0003193945.tif 000015
【図３】
0003193945.tif 000016
【図４】
0003193945.tif 000017
【図５】
0003193945.tif 000018
【図６】
0003193945.tif 000019
【図７】
0003193945.tif 000020
【図８】
0003193945.tif 000021
【図９】
0003193945.tif 000022
【図１０】
0003193945.tif 000023
【図１１】
0003193945.tif 000024
【手続補正書】
【提出日】平成26年8月29日(2014.8.29)
【手続補正１】
【補正対象書類名】実用新案登録請求の範囲
【補正対象項目名】全文
【補正方法】変更
【補正の内容】
【実用新案登録請求の範囲】
【請求項１】
内部に光源が設置される本体（１０）と、外枠（２０）と、両者を連結する複数の弾性片（３０）とを有する照明装置において、
前記本体（１０）の外壁に、対向する側に凸状柱（１２）が設置され、前記外枠（２０）が筐体（２１）を含み、前記筐体（２１）に、前記凸状柱（１２）に対応する箇所に位置決め孔（２３）が形成され、前記位置決め孔（２３）の両側に係止シート（２４、２５）が配置され、
前記各弾性片（３０）は、主体部（４０）と前記主体部（４０）から伸びる係合部（５０）とを含み、前記主体部（４０）に舌片（４２）が形成され、前記係合部（５０）に係止溝（５７）が開けられ、前記係止溝（５７）内をプレクトラム（５８）が伸び、
前記弾性片（３０）の主体部（４０）が前記筐体（２１）の係止シート（２４、２５）間に挿設され、前記舌片（４２）は前記主体部（４０）から前記位置決め孔（２３）内に嵌設されて固定され、前記凸状柱（１２）は前記係合部の係止溝（５７）内に嵌設され、前記プレクトラム（５８）は前記凸状柱（１２）に弾性的に当接し、前記弾性片（３０）の係合部（５０）は前記本体（１０）の外壁に当接する
ことを特徴とする照明装置。
【請求項２】
前記係合部（５０）に、前記係止溝（５７）と連通する２個の狭溝（５７１）が前記プレクトラム（５８）の両側に形成される
ことを特徴とする請求項１に記載の照明装置。
【請求項３】
前記凸状柱（１２）は円柱状であり、前記プレクトラム（５８）の先端が前記凸状柱（１２）に当接するような凹状をしている
ことを特徴とする請求項２に記載の照明装置。
【請求項４】
前記係合部（５０）は、前記主体部（４０）と連続するように弧形の弾性部（５１）を含み、前記係合部（５０）と弾性部（５１）と主体部（４０）とが逆「Ｖ」字形を形成する
ことを特徴とする請求項１に記載の照明装置。
【請求項５】
前記係止シート（２４、２５）は、それぞれ対応する前記位置決め孔（２３）の両側に設置される２個の位置決めバー（２５）含み、前記位置決めバー（２５）が、前記筐体（２１）の対応部分と共に、「Ｔ」字形のソケットを形成する
ことを特徴とする請求項１に記載の照明装置。
【請求項６】
前記位置決めバー（２５）は、前記筐体（２１）の軸方向である垂直線方向に設置され、接続される前記筐体（２１）の接続部（２５０）と、前記接続部（２５０）から他方の位置決めバーに向かって延びる制限部（２５５）とを有し、前記各位置決めバー（２５）の横断面が「Ｌ」形となる
ことを特徴とする請求項５に記載の照明装置。
【請求項７】
前記各係止シート（２４、２５）はそれぞれ前記筐体（２１）の外側面に設置されており、前記舌片（４２）は前記係合部（５０）に向かって傾斜延出する
ことを特徴とする請求項１に記載の照明装置。
【請求項８】
前記係合部（５０）は、前記主体部（４０）の頂部と接続するように弧形の弾性部（５１）を含み、前記弾性部（５１）は、前記主体部（４０）と係合部（５０）を接続するように、前記筐体（２１）の頂縁を跨ぐ
ことを特徴とする請求項７に記載の照明装置。
【請求項９】
前記弾性片（３０）は更に操作部（６０）を含み、前記操作部（６０）は、前記主体部（４０）の底部に接続するような弧形部を含み、前記主体部（４０）の底部の両側にそれぞれ割れ目（４１）が形成されている
ことを特徴とする請求項７に記載の照明装置。
【請求項１０】
前記係止シート（２４、２５）はそれぞれ前記筐体（２１）の内側面に設置され、前記舌片（４２）は、前記係合部（５０）を越えて傾斜して伸びる
ことを特徴とする請求項１に記載の照明装置。
【手続補正２】
【補正対象書類名】明細書
【補正対象項目名】全文
【補正方法】変更
【補正の内容】
【考案の詳細な説明】
【技術分野】
【０００１】
本考案は照明装置に関し、特に弾性片で固定された取付が容易な照明装置に関する。
【背景技術】
【０００２】
従来の灯具は、ネジ或はリベット締めの方式により本体を外枠上に固定する。しかし、ネジの固定にネジとナットが必要であり、ワッシャー等の複数の部品の取付が煩瑣で、何度も着脱された後は脱落しやすく、危険である。リベット締めの方式では、引張とリベット締めを行えるように、リベット締め設備と大きい作業空間が必要になり、リベット締めされた後取外しづらく、極めて不便である。
【考案の概要】
【考案が解決すべき課題】
【０００３】
本考案の目的は、構造と取付が簡単な照明装置を提供することである。
【課題を解決するための手段】
【０００４】
本考案の一実施例によれば、内部に光源が設置される本体（１０）と、外枠（２０）と、両者を連結する複数の弾性片（３０）とを有する照明装置において、
前記本体（１０）の外壁に、対向する側に凸状柱（１２）が設置され、前記外枠（２０）が筐体（２１）を含み、前記筐体（２１）に、前記凸状柱（１２）に対応する箇所に位置決め孔（２３）が形成され、前記位置決め孔（２３）の両側に係止シート（２４、２５）が配置され、
前記各弾性片（３０）は、主体部（４０）と前記主体部（４０）から伸びる係合部（５０）とを含み、前記主体部（４０）に舌片（４２）が形成され、前記係合部（５０）に係止溝（５７）が開けられ、前記係止溝（５７）内をプレクトラム（５８）が伸び、
前記弾性片（３０）の主体部（４０）が前記筐体（２１）の係止シート（２４、２５）間に挿設され、前記舌片（４２）が前記主体部（４０）から前記位置決め孔（２３）内に嵌設されて固定され、前記凸状柱（１２）が前記係合部の係止溝（５７）内に嵌設され、前記プレクトラム（５８）が前記凸状柱（１２）に弾性的に当接し、前記弾性片（３０）の係合部（５０）が前記本体（１０）の外壁に当接することを特徴とする。
本考案の更なる実施例によれば、前記係合部（５０）に、前記係止溝（５７）と連通する２個の狭溝（５７１）が前記プレクトラム（５８）の両側に形成されることを特徴とする。
本考案の更なる実施例によれば、前記凸状柱（１２）が円柱状であり、前記プレクトラム（５８）の先端が前記凸状柱（１２）に当接するような凹状をしていることを特徴とする。
本考案の更なる実施例によれば、前記係合部（５０）が、前記主体部（４０）と連続するように弧形の弾性部（５１）を含み、前記係合部（５０）と弾性部（５１）と主体部（４０）とが逆「Ｖ」字形を形成することを特徴とする。
本考案の更なる実施例によれば、前記係止シート（２４、２５）が、それぞれ対応する前記位置決め孔（２３）の両側に設置される２個の位置決めバー（２５）含み、前記位置決めバー（２５）が、前記筐体（２１）の対応部分と共に、「Ｔ」字形のソケットを形成することを特徴とする。
本考案の更なる実施例によれば、前記位置決めバー（２５）が、前記筐体（２１）の軸方向である垂直線方向に設置され、接続される前記筐体（２１）の接続部（２５０）と、前記接続部（２５０）から他方の位置決めバーに向かって延びる制限部（２５５）とを有し、前記各位置決めバー（２５）の横断面が「Ｌ」形となることを特徴とする。
本考案の更なる実施例によれば、前記各係止シート（２４、２５）がそれぞれ前記筐体（２１）の外側面に設置されており、前記舌片（４２）が前記係合部（５０）に向かって傾斜延出することを特徴とする。
本考案の更なる実施例によれば、前記係合部（５０）が、前記主体部（４０）の頂部と接続するように弧形の弾性部（５１）を含み、前記弾性部（５１）が、前記主体部（４０）と係合部（５０）を接続するように、前記筐体（２１）の頂縁を跨ぐことを特徴とする。
本考案の更なる実施例によれば、前記弾性片（３０）が更に操作部（６０）を含み、前記操作部（６０）が、前記主体部（４０）の底部に接続するような弧形部を含み、前記主体部（４０）の底部の両側にそれぞれ割れ目（４１）が形成されていることを特徴とする。
本考案の更なる実施例によれば、前記係止シート（２４、２５）がそれぞれ前記筐体（２１）の内側面に設置され、前記舌片（４２）が、前記係合部（５０）を越えて傾斜して伸びることを特徴とする。
かくして、従来の技術と比べて、本考案の照明装置は、弾性片の主体部が外枠の係止シートに挿設され、弾性片の係合部により本体上の凸状柱を嵌設することで、構造が簡単で強固で取付が簡単となる。さらに係合部（５０）が本体の外壁に当接するためダンピング効果を提供する。
【図面の簡単な説明】
【０００５】
【図１】本考案の実施例１の照明装置の立体分解図。
【図２】図１の照明装置の部分組立図。
【図３】図１の照明装置の弾性片の部分拡大図。
【図４】図１の照明装置の外枠に弾性片が取り付けられ半分に切った状態を示す斜視図。
【図５】図１の照明装置の１／４の部分が切り取られた状態を示す斜視図。
【図６】図５の円Ａの部分拡大図。
【図７】本考案の実施例２の照明装置の立体分解図。
【図８】図７の照明装置の部分組立図。
【図９】図７の照明装置の外枠に弾性片が取り付けられ半分に切った状態を示す斜視図。
【図１０】図７の照明装置の１／４の部分が切り取られた状態を示す斜視図。
【図１１】図１０の円Ｂの部分拡大図。
【考案を実施するための形態】
【０００６】
図１〜図６に示すように、本考案の実施例１の照明装置１００は、本体１０、外枠２０と、前記本体１０と外枠２０と接続する２つの弾性片３０、３０を含む。前記本体１０は、内部に設置される光源（図示せず）と上方に設置される放熱器１１を含む。前記本体１０の外形は円柱状をしている。前記本体１０の外壁の対向両側にそれぞれ凸状柱１２が延出する。本実施例において、各凸状柱１２は、円柱状であり、本体１０の外壁から法線方向に延出する。前記外枠２０は、鉛直環形の筐体２１と前記筐体２１底部に接続される台座２２を含む。前記台座２２は円環状である。前記筐体２１の対向両側部にそれぞれ位置決め孔２３が設置される。位置決め孔２３は円形の穿孔である。前記筐体２１における位置決め孔２３に対応する箇所には、係止シート２４が配置されている。実施例１において、前記係止シート２４は筐体２１の外側面に設置される。係止シート２４は、位置決め孔２３の対向両側に設置される位置決めバー２５を含む。各位置決めバー２５は鉛直線状に設置され、筐体２１に接続される接続部２５０と、接続部２５０の外縁から他方の位置決めバー２５に向かって延出する制限部２５５とを含み、これにより位置決めバー２５の横断面が「Ｌ」形になる。係止シート２４の底部が台座２２と接続される。係止シート２４の２つの位置決めバー２５が、筐体２１の対応する部分と共に「Ｔ」字形のソケット２４０を構成する。前記ソケット２４０は位置決め孔２３を挟む。
【０００７】
前記弾性片３０は、主体部４０と、前記主体部４０の頂部から内側で下に向かって延出する係合部５０と、前記主体部４０の底部から外に向かって延出する操作部６０とを含む。本実施例では、弾性片３０は、弾性のある金属材料を一体にプレス加工して形成される。
【０００８】
前記主体部４０は矩形の片状である。前記主体部４０の幅は、前記両位置決めバー２５、２５の接続部２５０、２５０間の距離よりも小さく、両制限部２５５、２５５間の距離よりも大きい。これにより主体部４０が係止シート２４のソケット２４０に嵌設できる。前記主体部４０の底部の両側にそれぞれ割れ目４１が形成され、主体部４０の底部の幅が制限部２５５間の距離よりも小さくすることで、操作部６０が係止シート２４のソケット２４０内に伸び、主体部４０と接続される。主体部４０の中部で、係合部５０に向かって舌片４２が傾斜延出し、前記舌片４２の頂部が半円形をしていることで、外枠２０の位置決め孔２３に嵌入できる。本実施例では、前記舌片４２の底部が主体部４０と接続され、主体部４０に、舌片４２に対応する位置には、プレス加工により穿孔（図示せず）が形成される。
前記係合部５０は、主体部４０の頂部と接続するように弧形の弾性部５１を含む。前記係合部５０と弾性部５１と主体部４０が、一体となって逆「Ｖ」字形を形成する。前記係合部５０の中部には、前記係止溝５７の上方にプレクトラム５８が設置される。前記係合部５０に更に２つの狭溝５７１が設置され、前記狭溝５７１はプレクトラム５８の対向両側に形成され、係止溝５７と連通するため、プレクトラム５８の頂部を係合部５０に接続させることで、前記プレクトラムの弾性を増加させる。本体１０の凸状柱１２を係止溝５７に組み立てる際、凸状柱１２に対し、前記プレクトラム５８はガイドの機能を果たす。本体１０の凸状柱１２を係止溝５７から取り外す際、前記プレクトラム５８を下に押え付けることで、凸状柱１２を上に向かって引き抜くことができる。本実施例では、前記プレクトラム５８の底縁が凹状に形成されている。
【０００９】
前記操作部６０は、主体部４０の底部と接続するような弧形部を含む。前記操作部６０は外に向かって屈曲延出することで、使用者が弾性片３０を操作するに際し便利となる。組み立てる場合は、前記弾性片３０の主体部４０を上から下に向かって外枠２０の係止シート２４内に挿入し、舌片４２が筐体２１の弾性圧縮を受け、主体部４０が完全に係止シート２４に挿入した時、舌片４２が、反発して筐体２１の位置決め孔２３内に入る。この時、弾性片３０の係合部５０が筐体２１の内側に位置し、主体部４０と係合部５０とそれぞれ接続する弾性部５１が筐体２１の頂縁に跨設される。最後に、本体１０を、上から下へ筐体２１内に押入する。すると、凸状柱１２が係合部５０のプレクトラム５８の位置に対応する。
【００１０】
本体１０を、下へ押す過程で、弾性片３０の係合部５０を筐体２１内壁に向かって弾性的に接近させるように、押し、同時に凸状柱１２がプレクトラム５８に当たり下に向かって係止溝５７内に滑り込ませるように、押す。凸状柱１２が係止溝５７に嵌入された後、係合部５０が、反発で本体１０の外壁底部に当接し、前記プレクトラム５８が凸状柱１２の頂部に弾性的に当たる。前記凸状柱１２と係止溝５７が、それぞれ円形に形成されているので、本体１０と弾性片３０とが回転可能に連結される。即ち、本体１０が、凸状柱１２と係止溝５７の軸心の回りに回転できるため、本体１０が、外枠２０に相対して回転する自由度を得て、前記本体１０が、凸状柱１２の回りに所定の回転角度に回動した後、前記係合部５０が、反発で本体１０の外壁に当接して生じる摩擦抵抗により、本体１０を所定の回転角度に位置決めできるように挟持することができる。前記台座２２に、筐体２１の内側に延出して斜面２２０を形成することで、係合部５０を支持し、更に本体１０を支持し、本体１０を下へ押す過程で過大な負荷を受けた際、筐体２１から脱落することを防止することができる。
【００１１】
本考案の照明装置１００は、外枠２０の対向両側に位置決め孔２３と係止シート２４を有する。弾性片３０の主体部４０を前記係止シート２４に嵌入し、主体部４０の舌片４２を前記位置決め孔２３に嵌入することで、弾性片３０を外枠２０上に固定する.弾性片３０の係合部５０が、係止溝５７とプレクトラム５８により本体１０上の凸状柱１２を嵌設するため、本体１０を固定することができる。凸状柱１２が円形であり、係合部５０が本体１０の外壁に当接するため、外枠２０に対する本体１０の回転の自由度とダンピング効果を提供できる。かくして本考案の照明装置１００は構造が簡単で、強固で、取付が容易であるという効果を達成できる。
【００１２】
図７〜図１１に、本考案の実施例２の照明装置１００ａを示す。前記照明装置１００ａは、本体１０ａ、外枠２０ａ、と、前記本体１０ａと外枠２０ａと接続される２つの弾性片３０ａ、３０ａとを含む。
前記本体１０ａの構造は、前記実施例1の照明装置１００の本体１０と同じである。前記本体１０ａは、相対的に外に延出する凸状柱１２ａを含み、実施例１の外枠２０と相似し、前記外枠２０ａが筐体２１ａと台座２２ａを含み、前記筐体２１ａには対向に設置される２つの位置決め孔２３ａ、２３ａと係止シート２４ａが設置され、前記係止シート２４ａにソケット２４０ａが設置される。実施例１との相違点は、実施例２による両係止シート２４ａ、２４ａがそれぞれ筐体２１ａの内壁上に設置され、前記ソケット２４０ａの開口が内側に形成されることにある。前記弾性片３０ａが主体部４０ａと係合部５０ａを含み、前記主体部４０ａが舌片４２ａを含む。実施例１による舌片４２が係合部５０に延出するのに対して、実施例２の前記舌片４２ａが係合部５０ａから延出する。前記係合部５０ａは実施例１の係合部５０と同じである。
【００１３】
以上の説明は、本考案の一実施例に関するもので、この技術分野の当業者であれば、本考案の種々の変形例を考え得るが、それらはいずれも本考案の技術的範囲に包含される。特許請求の範囲の構成要素の後に記載した括弧内の番号は、図面の部品番号に対応し、考案の容易なる理解の為に付したものであり、考案を限定的に解釈するためのものではない。また同一番号でも明細書と特許請求の範囲の部品名は必ずしも同一ではない。これは上記した理由による。実施例の記載においては、「少なくとも１つ或いは複数」、「と／又は」は、それらの内の１つに限定されない。例えば「Ａ，Ｂ，Ｃの内の少なくとも１つ」は「Ａ」、「Ｂ」、「Ｃ」単独のみならず「Ａ，Ｂ或いはＢ，Ｃ更には又Ａ，Ｂ，Ｃ」のように複数のもの、ＡとＢの組合せＡとＢとＣの組合せでもよい。「Ａ，Ｂと／又はＣ」は、Ａ，Ｂ，Ｃ単独のみならず、ＡとＢの２つ、或いはＡとＢとＣの全部を含んでもよい。本明細書において「Ａを含む」「Ａを有する」は、Ａ以外のものを含んでもよい。特に記載のない限り、装置又は手段の数は、単数か複数かを問わない。